(57)【要約】【課題】撮影時に照明装置等から照射される光によって被写体に生じる影を効果的に防止することができる自動写真作成装置を提供する。【解決手段】利用者が撮影画像の編集作業、シャッター操作、プリント指示などを行うための画像が表示される表示部である液晶タッチパネル２０の表面部分にハーフミラー３１を備える。撮影時以外は、液晶タッチパネル２０には、液晶パネル３４によって形成された画像が表示される。撮影時は、フラッシュ１１により閃光が発せられるので、利用者側の方がバックライト側よりも明るくなる。そして、フラッシュ１１による閃光や照明装置からの光は、液晶タッチパネル２０の表面で反射される。そして、その反射光は、利用者の顔を下方から照射する。これにより、利用者の顔に生じていた影が解消され、良好な撮影画像を得ることができる。【選択図】        図１
2004309742.tif 000002
【特許請求の範囲】
【請求項１】
所定の撮影領域における被写体である利用者を撮影する撮像手段と、前記利用者を照明する照明手段と、前記利用者に向けられた表示画面を含む表示手段とを備える自動写真作成装置であって、
前記表示手段は、反射板としても透明板としても機能し前記表示画面を覆う板状の部材を含むことを特徴とする自動写真作成装置。
【請求項２】
前記照明手段は、前記表示手段の上方に配置され、
前記表示手段は、前記撮影手段の下方に上向きにして配置されたことを特徴とする、請求項１に記載の自動写真作成装置。
【請求項３】
前記表示手段は、前記利用者のための操作画面を含むことを特徴とする、請求項１または２に記載の自動写真作成装置。
【請求項４】
前記表示画面に背面側から光を照射するバックライトを備え、
前記板状の部材は、ハーフミラーであることを特徴とする、請求項１から３までのいずれか１項に記載の自動写真作成装置。
【請求項５】
前記バックライトの点灯と消灯とを切り替える手段を備えたことを特徴とする、請求項４に記載の自動写真作成装置。
【請求項６】
前記表示手段は、所定の操作に応じて前記表示画面を黒く表示することを特徴とする、請求項１から５までのいずれか１項に記載の自動写真作成装置。
【請求項７】
所定の撮影領域における被写体である利用者を撮影する撮像手段と、前記利用者を照明する照明手段と、前記利用者に向けられた表示画面を含む表示手段とを備える自動写真作成装置における自動写真作成方法であって、
前記照明手段により前記利用者に光を照射する照明ステップと、
前記照明ステップにて光を照射された前記利用者を前記撮像手段により撮影する撮影ステップとを備え、
前記表示手段は、反射板としても透明板としても機能し前記表示画面を覆う板状の部材を含み、
前記照明ステップでは、前記照明手段から発せられた直接光と、前記照明手段から発せられ前記板状の部材で反射した間接光とが、前記利用者に照射されることを特徴とする、自動写真作成方法。
【請求項８】
請求項７に記載の自動写真作成方法により写真として印刷されたことを特徴とする印刷媒体。
【発明の詳細な説明】
【０００１】
【発明の属する技術分野】
本発明は、利用者をカメラで撮影し、その撮影画像に基づき生成される合成画像を写真として出力する自動写真作成装置に関する。
【０００２】
【従来の技術】
従来より、利用者をカメラで撮影し、その撮影画像を写真として出力する遊戯用写真作成装置が知られている。このような遊戯用写真作成装置は、良好な撮影画像を得るために、蛍光灯、白熱灯などの常時点灯される照明装置と、撮影する瞬間に閃光を発するフラッシュとを備えている。これらの照明装置やフラッシュは被写体に光を直接照射する。しかし被写体には、その被写体の位置に応じて影が生じやすく、特に被写体の顔に生じる影によって利用者が満足する撮影画像が得られないことがあった。
【０００３】
一般的な写真撮影においては、レフ板と呼ばれる板状の反射材を被写体の周囲に備え、その反射材からの反射光によって被写体に生じる影を解消している。従来の遊戯用写真作成装置では、装置本体部の筐体を白くすることにより光の反射率を高めている。特に、利用者によって操作される操作部の周囲の部分を白くすることにより、反射光が被写体を下方から照射し、被写体に生じている影の影響を軽減している。
【０００４】
また、特開２００３−８５６４５号公報に開示された装置には、可動式のレフ板が設けられている。この装置によると、利用者は反射光の効果をモニタ画面で確認しながら、レフ板の位置を調節することができる。
【０００５】
【特許文献１】
特開２００３−８５６４５号公報
【０００６】
【発明が解決しようとする課題】
従来技術による装置本体部の筐体を白くする方法では、反射光による効果は十分ではない。また、特開２００３−８５６４５号公報に開示された装置では、利用者がレフ板を調節するための操作を行う必要があるため、良好な撮影画像が得られるようにレフ板が調節されるとは限らない。
【０００７】
そこで本発明では、撮影時に照明装置等から照射される光によって被写体に生じる影を効果的に防止することができる自動写真作成装置を提供することを目的とする。
【０００８】
【課題を解決するための手段および発明の効果】
第１の発明は、所定の撮影領域における被写体である利用者を撮影する撮像手段と、前記利用者を照明する照明手段と、前記利用者に向けられた表示画面を含む表示手段とを備える自動写真作成装置であって、
前記表示手段は、反射板としても透明板としても機能し前記表示画面を覆う板状の部材を含むことを特徴とする。
【０００９】
このような第１の発明によれば、照明手段から発せられた光が撮影時に表示手段の表面で反射する。そして、その反射光は被写体を照射し、被写体に生じている影を解消する。これにより、影の影響のない良質な撮影画像が提供される。
【００１０】
第２の発明は、第１の発明において、
前記照明手段は、前記表示手段の上方に配置され、
前記表示手段は、前記撮影手段の下方に上向きにして配置されたことを特徴とする。
【００１１】
このような第２の発明によれば、照明手段から発せられた光が撮影時に表示手段の表面で反射する。そして、その反射光は表示手段の上方を照射する。一方、フェイスアップ撮影時に利用者の顔（被写体）は表示手段の上方に位置している。このため、反射光は被写体を下方から照射し、被写体に生じている影を解消する。これにより、影の影響が効果的に解消された良質な撮影画像が提供される。
【００１２】
第３の発明は、第１の発明及び第２の発明において、
前記表示手段は、前記利用者のための操作画面を含むことを特徴とする。
【００１３】
このような第３の発明によれば、利用者が、例えばタッチパネルとして実現される操作画面に対して操作を行うとき、当該利用者の顔（被写体）は表示手段の上方に位置し、被写体には反射光が効果的に照射される。これにより、影の影響が効果的に解消された良質な撮影画像が提供される。また、表示手段とは別に操作画面を備える必要がなく、省スペース化の効果も得られる。
【００１４】
第４の発明は、第１から３の発明のいずれかにおいて、
前記表示画面に背面側から光を照射するバックライトを備え、
前記板状の部材は、ハーフミラーであることを特徴とする。
【００１５】
第５の発明は、第４の発明において、
前記バックライトの点灯と消灯とを切り替える手段を備えたことを特徴とする。
【００１６】
このような第５の発明によれば、バックライトが点灯しているときには、バックライトから発せられた光が表示手段の表面から照射し、バックライトが消灯しているときには、表示手段の表面で光が反射していると利用者に認識される。これにより、バックライトが消灯しているときには、表示手段の画面が、鏡としての機能を有することとなる。
【００１７】
第６の発明は、第１から第５の発明のいずれかにおいて、
前記表示手段は、所定の操作に応じて前記表示画面を黒く表示することを特徴とする。
【００１８】
このような第６の発明によれば、表示画面が黒く表示されているときには、表示手段の表面で光が反射していると利用者に認識される。これにより、表示画面が黒く表示されているときには、表示手段の画面が、鏡としての機能を有することとなる。
【００１９】
第７の発明は、所定の撮影領域における被写体である利用者を撮影する撮像手段と、前記利用者を照明する照明手段と、前記利用者に向けられた表示画面を含む表示手段とを備える自動写真作成装置における自動写真作成方法であって、
前記照明手段により前記利用者に光を照射する照明ステップと、
前記照明ステップにて光を照射された前記利用者を前記撮像手段により撮影する撮影ステップとを備え、
前記表示手段は、反射板としても透明板としても機能し前記表示画面を覆う板状の部材を含み、
前記照明ステップでは、前記照明手段から発せられた直接光と、前記照明手段から発せられ前記板状の部材で反射した間接光とが、前記利用者に照射されることを特徴とする。
【００２０】
第８の発明は、印刷媒体であって、第７の発明に係る自動写真作成方法により写真として印刷されたことを特徴とする。
【００２１】
【発明の実施の形態】
以下、本発明の実施形態につき添付図面を参照しつつ説明する。
＜１  第１の実施形態＞
＜１．１  全体構成＞
図１は、本発明の第１の実施形態に係る遊戯用写真作成装置の本体部４の斜視図である。この遊戯用写真作成装置の本体部４は、利用者を撮影する撮像手段としてのカメラ１０と、当該カメラ１０の上方の適宜の位置に配置され閃光を発するフラッシュ１１と、当該カメラ１０の左右の位置に配置され常時点灯される蛍光灯や白熱灯などの照明装置２０１Ｌ、２０１Ｒと、当該カメラ１０の下方に配置され、操作画面を提供する液晶ディスプレイおよび当該操作画面を覆う操作位置検出用の透明シートからなる液晶タッチパネル２０と、液晶タッチパネル２０に対する操作に使用されるタッチペン２１とを備える。カメラ１０は利用者を被写体として撮影し、その撮影画像を表す画像信号を出力する。典型的には、ＣＣＤ（電荷結合素子）を利用してデジタル画像信号を生成するデジタルカメラが使用される。フラッシュ１１は、良好な撮影画像を得るために、撮影時点に閃光を発し、被写体に明るい光を照射する。液晶タッチパネル２０は、利用者による操作面を上向きにして配置され、表示手段として機能している。利用者は、その液晶タッチパネル２０をタッチペン２１で操作することにより、撮影画像の編集、背景画像の選択、プリントの指示などを行うことができる。
【００２２】
また本体部４は、コンピュータを中心に構成され各部の制御や画像合成等の画像処理を行う主制御装置およびＩ／Ｏ制御装置や、カメラ１０により得られる撮影画像または当該撮影画像を含む合成画像を写真シール（または写真カード）として出力するプリンタ等を内蔵している。さらに、本体部４は、前面下方にコイン投入口（不図示）を、側面に写真シールの取出口（不図示）を、それぞれ備えている。
【００２３】
＜１．２  液晶タッチパネルの構成＞
図１１は、従来の液晶タッチパネル２０の断面図である。この液晶タッチパネル２０は、強化ガラス３６と、位置センサ３２と、液晶パネル３４と、バックライト３５とから構成されている。これらは本体部４の表面から内部に向かって、強化ガラス３６、位置センサ３２、液晶パネル３４、バックライト３５の順に配置されている。図２は、本実施形態に係る液晶タッチパネル２０の断面図である。従来の液晶タッチパネル２０においては、表面部分には強化ガラス３６が使用されていたが、本実施形態においては、強化ガラス３６に換えてハーフミラー３１が使用されている。本実施形態における液晶タッチパネル２０の他の部分は従来と同様であり、同一部分には同一の参照符号を付して説明を省略する。
【００２４】
本実施形態では、一例として、電磁誘導方式による液晶タッチパネル２０が使用されているものとして説明する。図３は、この方式における、タッチペン２１による液晶タッチパネル２０の表面の指示についての説明図である。この液晶タッチパネル２０に付随するタッチペン２１にはコイルとコンデンサとで構成された共振回路が内蔵されている。位置センサ３２には、図３に示すようにＸ軸方向およびＹ軸方向に複数のループコイルが配置されている。そして、順次選択してループコイルから電波を放射させるとともに、タッチペン２１に設けられた共振回路から再放射される電波を受信することにより指示された位置の座標値が求められ、その座標値に基づいて利用者の操作が識別される。
【００２５】
次に、ハーフミラー３１の一般的な性質について説明する。図４は、ハーフミラー３１の性質についての説明図である。ハーフミラー３１には、それに投射される光の半分（５０％）を反射し、光の残り半分（５０％）を透過する性質がある。例えば、図４に示すように、ハーフミラー３１を介して、一方が明るく、他方が暗い場合、明るい側からハーフミラー３１に向かって発せられた光は、その半分はハーフミラー３１を透過し、残りの半分は当該ハーフミラー３１によって反射する。このようなときに、明るい側からハーフミラー３１を見ると、ハーフミラー３１には明るい側の像が映し出されている。一方、暗い側からハーフミラー３１を見ると、ハーフミラーを透過する光によって、明るい側の像が映し出されている。
【００２６】
液晶タッチパネル２０の表面部分にハーフミラー３１を使用した場合、上述のようなハーフミラー３１の性質に基き、以下のような現象がみられる。なお、以下、液晶タッチパネル２０の表面部分を基準として、利用者が存在する側を「利用者側」といい、その反対側を「バックライト側」という。
【００２７】
撮影時以外は、バックライト側の方が利用者側よりも明るいので、液晶タッチパネル２０には、バックライト３５から発せられた光によって液晶パネル３４で形成された画像が表示される。一方、撮影時は、フラッシュ１１によって閃光が発せられるので、利用者側の方がバックライト側よりも明るくなる。このため、フラッシュ１１による光はハーフミラー３１の表面で反射し、その反射光が利用者を下方から照射する。
【００２８】
＜１．３  機能的構成＞
図５は、本実施形態に係る遊戯用写真作成装置の要部を機能面から見た構成を示すブロック図である。この遊戯用写真作成装置は、機能的には、撮像部５２と、表示部６２と、出力部６４と、照明部７０と、Ｉ／Ｏ制御部７２と、主制御部８０とから構成される。
【００２９】
この構成において、撮像部５２は、ＣＣＤ等の撮像素子を用いて構成されるカメラ１０に相当し、リアルタイムに画像を取り込んで当該画像を表す画像信号を出力する。この画像信号は主制御部８０に入力されて、その内部のメモリに記憶される。
【００３０】
表示部６２は、液晶タッチパネル２０に相当し、利用者のための操作画面を表示するとともに、シャッター操作やプリント出力操作などの利用者による操作を受け付け、これらの操作を示す信号は、操作信号として主制御部８０に入力される。いま、利用者の撮影のためにシャッターボタンが押下されたとすると、主制御部８０からの指示に基づき、数秒程度の予め決められた時間の経過後にカメラ１０の撮影方向にフラッシュ１１から閃光が放たれ、利用者の撮影画像を表す信号として撮像部５２から出力される画像信号が主制御部８０に入力され、主制御部８０内のメモリまたは補助記憶装置としてのハードディス装置等にプリント用画像データとして格納される。出力部６４は、本体部４に内蔵されるプリンタに相当し、主制御部８０からの指示に基づき、このプリント用画像データの表す画像を写真シール（または写真カード）として出力する。
【００３１】
照明部７０は、本体部４における照明装置２０１Ｌ、２０１Ｒとフラッシュ１１とに相当し、主制御部８０からの指示に基づきＩ／Ｏ制御部７２によって点灯／消灯および調光が制御される。
【００３２】
Ｉ／Ｏ制御部７２は、本体部４に内蔵されるＩ／Ｏ制御装置に相当し、主制御部８０からの指示に基づき、照明部７０を制御すると共に、コイン検出部（不図示）からの検出信号等の入力信号を主制御部８０へ転送する。
【００３３】
主制御部８０は、本体部４に内蔵され、ＣＰＵ（Ｃｅｎｔｒａｌ  Ｐｒｏｃｅｓｓｉｎｇ  Ｕｎｉｔ）や、メモリ、タイマー、補助記憶装置などを含むコンピュータを中心に構成される主制御装置に相当し、内部メモリに格納された所定プログラムをＣＰＵが実行することにより、各部を制御する。また、利用者による撮影画像の編集処理に基づきプリント用合成画像を生成する。プリント用合成画像は出力部から写真シール等として出力される。
【００３４】
上記の構成要素の他、本体部４におけるコイン投入口に投入されたコインを検出するためのコイン検出部（不図示）が更に本体部４に設けられており、主制御部８０は、コイン検出部での検出結果に基づき、利用者に所定時間だけ撮影や撮影画像に対する描画等による合成画像の生成など、本遊戯用写真作成装置によるプレイを許容するように各部を制御する。このコイン検出部やその検出結果に基づく主制御部８０による制御動作は、従来の遊戯用写真作成装置と同様であって周知であるので、その詳しい説明を省略する。
【００３５】
＜１．４  作用＞
次に、この遊戯用写真作成装置における利用者のプレイ進行の流れを説明するとともに、本実施形態の作用について説明する。
【００３６】
この遊戯用写真作成装置が利用されていないとき、当該遊戯用写真作成装置の液晶タッチパネル２０には、デモンストレーション用の画像が表示されている。利用者によってコイン投入口にコインが投入されると、プレイが開始される。このとき、バックライト側の方が利用者側よりも明るいので、バックライト３５によって液晶パネル３４で形成された画像が液晶タッチパネル２０に映し出されたと利用者に認識される。すなわち、液晶タッチパネル２０には、シャッター操作やプリント出力を受け付ける、利用者のための操作画面が表示され、利用者は当該操作画面を読み取ることができる。
【００３７】
利用者が液晶タッチパネル２０上においてシャッターボタンを表す領域をタッチペン２１によって選択すると、撮影が開始される。ここで、利用者はフェイスアップ撮影を行うとき、顔をカメラ１０に近づける。図６は、フェイスアップ撮影時の本写真作成装置と利用者との位置関係を示す図である。図６に示すように、利用者の顔は液晶タッチパネル２０の上方に位置することが多い。
【００３８】
撮影の時点で、フラッシュ１１による閃光が発せられる。フラッシュ１１による閃光はバックライト３５から発せられる光よりも明るいので、撮影時点は、利用者側の方がバックライト側よりも明るくなる。そして、フラッシュ１１による閃光や照明装置２０１Ｌ、２０１Ｒからの光など利用者側の強い光が、液晶タッチパネル２０の表面で反射し、その反射光は、利用者の顔（被写体）を下方から照射する。
【００３９】
その後、利用者は、上記の撮影画像に基づいて編集作業等を行い、プリント出力により写真シール等を出力し、プレイを終了する。なお、利用者による撮影画像の編集作業等については、本発明とは関係がないので、詳しい説明は省略する。
【００４０】
＜１．５  効果＞
上記のように本実施形態によれば、フラッシュ１１による閃光や照明装置２０１Ｌ、２０１Ｒからの光が液晶タッチパネル２０の表面で反射する。そして、利用者がフェイスアップ撮影を行う場合、利用者の顔（被写体）は、液晶タッチパネル２０の上方に位置する。このため、液晶タッチパネル２０の表面で反射した光は、利用者の顔を下方から照射する。これにより、利用者の顔に生じていた影が解消され、良好な撮影画像を得ることができる。
【００４１】
＜２  第２の実施形態＞
次に、本発明の第２の実施形態に係る遊戯用写真作成装置について説明する。上述のように、ハーフミラーには明るい側から発せられた光の半分を反射する性質がある。このため、液晶タッチパネル２０のバックライト３５を消灯すると、液晶タッチパネル２０には、液晶パネル３４によって形成された画像が見えなくなり、利用者側の像が映し出される。すなわち、液晶タッチパネル２０の表面が鏡として機能する。そこで、この性質に基づき、本実施形態に係る液晶タッチパネル２０は鏡としての機能を有している。
【００４２】
＜２．１  構成＞
この遊戯用写真作成装置では、液晶タッチパネル２０が備えるバックライト３５の点灯と消灯とを切り替えることができる。図７は、本実施形態に係る液晶タッチパネル２０の画面の一例を示す図である。この液晶タッチパネル２０の画面には、バックライト３５を消灯させるための選択領域（以下、「鏡ボタン」という）が表示されている。利用者が鏡ボタンを操作することによって、後述するように制御部が動作し、液晶タッチパネル２０が鏡として機能するようになる。
【００４３】
また、図８は、本実施形態に係る遊戯用写真作成装置の要部を機能面から見た構成を示すブロック図である。本実施形態においては、図５に示す構成に加えて、バックライトスイッチ部４０が設けられている。なお、本実施形態における他の機能的構成要素は、第１の実施形態におけるものとほぼ同様であるので、同一または対応する構成要素には同一の参照符号を付して詳しい説明を省略する（図１および図２参照）。
【００４４】
＜２．２  制御部の動作＞
次に、本実施形態に係る制御部８０の動作について説明する。図９は、利用者がタッチペン２１によって液晶タッチパネル２０を操作したときの制御部８０の動作を示すフローチャートである。
【００４５】
利用者がタッチペン２１によって液晶タッチパネル２０を操作すると、制御部８０は液晶タッチパネル２０が鏡状態であるか否か、すなわち、バックライト３５が点灯しているか消灯しているかを判定する（ステップＳ１０）。判定の結果、バックライト３５が消灯している場合、ステップＳ４３に進み、バックライト３５が点灯している場合、ステップＳ２０に進む。
【００４６】
ステップＳ１０でバックライト３５が点灯していると判定されたとき、すなわち液晶タッチパネル２０が鏡の状態ではないとき、利用者によってタッチペン２１で操作された、液晶タッチパネル２０上の位置を取得する（ステップＳ２０）。このとき、タッチペン２１で指示された位置は、位置センサ３２によって感知されることによって、制御部８０に伝えられる。
【００４７】
タッチペン２１で指示された位置を取得後、その位置が鏡ボタンを表す領域に含まれるか否かを判定する（ステップＳ３０）。判定の結果、鏡ボタンを表す領域に含まれる場合、ステップＳ４２に進み、鏡ボタンを表す領域に含まれない場合、ステップＳ４１に進む。
【００４８】
ステップＳ３０で鏡ボタンを表す領域に含まれないと判定されたとき、タッチペン２１で指示された位置に応じて、従来通りの処理を行う（ステップＳ４１）。
【００４９】
ステップＳ３０で鏡ボタンを表す領域に含まれると判定されたとき、バックライトスイッチ部４０にバックライト３５を消灯するよう指示する（ステップＳ４２）。バックライトスイッチ部４０がバックライト３５を消灯すると、液晶タッチパネル２０には、液晶パネル３４によって形成された画像が見えなくなり、利用者側の像が映し出される。すなわち、液晶タッチパネル２０の表面が鏡として機能する。
【００５０】
一方、ステップＳ１０でバックライト３５が消灯していると判定されたとき、すなわち液晶タッチパネル２０が鏡の状態であるとき、バックライトスイッチ部４０にバックライト３５を点灯するよう指示する（ステップＳ４３）。バックライトスイッチ部４０がバックライト３５を点灯すると、液晶タッチパネル２０には液晶パネル３４によって形成された画像が表示され、液晶タッチパネル２０の表面が操作部として機能する。
【００５１】
＜２．３  効果等＞
上記のように本実施形態によれば、利用者の操作によって液晶タッチパネル２０が備えるバックライト３５の点灯と消灯とを切り替えることが可能となる。また、液晶タッチパネル２０の表面部分にはハーフミラー３１が使用されているので、バックライト３５が消灯されると、利用者側から発せられた光が液晶タッチパネル２０の表面で反射していると利用者に認識される。このため、液晶タッチパネル２０が鏡として機能し、これにより、利用者が撮影前に化粧直し等をすることが可能となる。
【００５２】
なお、本実施形態では、バックライト３５を消灯することにより液晶タッチパネル２０が鏡として機能しているが、本発明はこれに限定されるものではない。例えば、操作画面での利用者の指示に応じて液晶タッチパネル２０の表示画面を黒く表示することにより、液晶タッチパネル２０が鏡として機能する構成としてもよい。
【００５３】
＜３  変形例＞
上記の各実施形態では、液晶タッチパネル２０の表面部分には、従来の強化ガラス３６に換えてハーフミラー３１を備えた構成としたが、本発明はこれに限定されるものではない。ハーフミラー３１の代わりに、例えば、電流を流すことによって反射率を大幅に向上することができるものを用いてもよい。
【００５４】
また、図１０に示すように、ハーフミラー３１を強化ガラス３６と位置センサ３２との間に設ける構成としてもよい。この構成によっても、上記の各実施形態と同様に、明るい側からハーフミラー３１に向かって発せられた光は、その光成分の半分はハーフミラー３１を透過し、残りの半分は当該ハーフミラー３１によって反射する。このため、上記の各実施形態と同様の効果が得られる。
【００５５】
さらに、上記の各実施形態では、電磁誘導方式による液晶タッチパネル２０が使用されているものとして説明したが、本発明はこれに限定されない。例えば、図２に示す位置センサ３２に換えて、抵抗膜を備えた抵抗膜方式による液晶タッチパネル２０にも適用できる。
【００５６】
さらにまた、上記の各実施形態では、液晶タッチパネル２０として透過型の液晶表示装置が使用されているものとして説明したが、本発明はこれに限定されない。ハーフミラーよりも内側かつ表示画面よりも外側から光を照射するフロントライトを備える反射型の液晶表示装置を液晶タッチパネル２０として使用してもよい。
【図面の簡単な説明】
【図１】本発明の第１の実施形態に係る遊戯用写真作成装置の本体部の斜視図である。
【図２】第１の実施形態に係る液晶タッチパネルの断面図である。
【図３】第１の実施形態における、タッチペンによる液晶タッチパネルの表面の指示についての説明図である。
【図４】第１の実施形態に係るハーフミラーの性質についての説明図である。
【図５】第１の実施形態に係る遊戯用写真作成装置の要部を機能面から見た構成を示すブロック図である。
【図６】第１の実施形態におけるフェイスアップ撮影時の遊戯用写真作成装置と利用者との位置関係を示す図である。
【図７】第２の実施形態に係る液晶タッチパネルの画面の一例を示す図である。
【図８】第２の実施形態に係る遊戯用写真作成装置の要部を機能面から見た構成を示すブロック図である。
【図９】第２の実施形態において、利用者がタッチパネルによって液晶タッチパネルを操作したときの制御部の動作を示すフローチャートである。。
【図１０】第１および第２の実施形態の変形例に係る液晶タッチパネルの断面図である。
【図１１】従来の液晶タッチパネルの断面図である。
【符号の説明】
４    …本体部
１０  …カメラ
１１  …フラッシュ
２０  …液晶タッチパネル
２１  …タッチペン
３１  …ハーフミラー
３２  …位置センサ
３４  …液晶パネル
３５  …バックライト
８０  …主制御部（主制御装置）
２０１Ｌ  …照明装置
２０１Ｒ  …照明装置
【図１】
2004309742.tif 000003
【図２】
2004309742.tif 000004
【図３】
2004309742.tif 000005
【図４】
2004309742.tif 000006
【図５】
2004309742.tif 000007
【図６】
2004309742.tif 000008
【図７】
2004309742.tif 000009
【図８】
2004309742.tif 000010
【図９】
2004309742.tif 000011
【図１０】
2004309742.tif 000012
【図１１】
2004309742.tif 000013